(57)【要約】【課題】容易にカンファレンス用の設定及び表示を行う。【解決手段】医用画像表示装置４０では、カンファレンス時に表示すべき医用画像及びそのレイアウトの設定画面が表示される。設定画面では、カンファレンス時に使用するモニタ数に応じたモニタ枠、そのモニタ内で表示する画像コマ数に応じて表示枠が設けられる。そして、操作部１２を介して読影画面に表示されている医用画像がこの設定画面の表示枠上に移動操作されると、当該医用画像をカンファレンス時に表示すべき医用画像とする設定情報が記憶部１６に記憶される。【選択図】図１
2006268120.tif 000002
【特許請求の範囲】
【請求項１】
読影のための医用画像を表示する表示手段を備えた医用画像表示装置において、
カンファレンス時に表示すべき医用画像及びそのレイアウトの設定情報を入力するための操作手段と、
前記操作手段を介して入力された医用画像及びそのレイアウトの設定情報をカンファレンス情報として記憶する記憶手段と、
カンファレンス時に、前記記憶されたカンファレンス情報に従って、表示すべき医用画像を前記設定されたレイアウトで前記表示手段上に表示させる表示制御手段と、
を備えることを特徴とする医用画像表示装置。
【請求項２】
前記表示制御手段は、前記記憶されたカンファレンス情報に従って、設定された医用画像を設定されたレイアウトで配置した縮小画像を生成して前記表示手段上に表示させることを特徴とする請求項１に記載の医用画像表示装置。
【請求項３】
前記表示手段は、前記カンファレンス時に表示すべき医用画像のレイアウトを、カンファレンス時の表示環境に応じて設定するための設定画面を表示し、
前記設定画面において前記操作手段によりカンファレンス時に表示すべき医用画像及びそのレイアウトの設定情報の入力が可能であることを特徴とする請求項１又は２に記載の医用画像表示装置。
【請求項４】
前記表示手段上に読影のために表示された医用画像が前記操作手段を介して前記設定画面上に移動操作されると、当該移動操作された医用画像をカンファレンス用の医用画像として設定することを示す設定情報が前記記憶手段に記憶されることを特徴とする請求項３に記載の医用画像表示装置。
【発明の詳細な説明】
【技術分野】
【０００１】
本発明は、医用画像を表示する医用画像表示装置に関する。
【背景技術】
【０００２】
医師が検査撮影で得られた医用画像を読影のためではなく、講義や説明会等のカンファレンス（説明）に使用する場合がある。この場合、医用画像表示装置において読影画面上に症例を示す医用画像等、説明に必要な医用画像を並べて表示させるのであるが、従来の医用画像表示装置では、カンファレンス用の画像を切り替えるのに時間及び手間がかかる。また、カンファレンス専用のファイルを作製するとしても、このカンファレンスに必要な医用画像を選択したり、並べる順番、配置位置を設定する等の準備が必要であり、このような作業は医師にとって煩雑であるとともに時間がかかるものであった。
【０００３】
従来から、一度表示した状態をその表示した資料とともに識別可能に記憶しておき、再度その資料を読み出した際に前回の表示状態で表示させる方法が開示されている（例えば、特許文献１参照）。
【特許文献１】特開平５−６７１６０号公報
【発明の開示】
【発明が解決しようとする課題】
【０００４】
しかし、上記特許文献１に記載の方法を適用すると、カンファレンスのときだけではなく、通常の読影、診断等の実務を行う際にも、前回表示したレイアウトで医用画像が表示されることとなってしまう。読影とカンファレンスでは医用画像の観察スタイルが異なり、カンファレンス時の医用画像のレイアウトは読影には適さない。
【０００５】
また、カンファレンスの回数が多くなると、前回表示したレイアウトがどのようなものであったか分からなくなることも多く、一度表示させてみないとそのレイアウトを確認することができない。
【０００６】
また、ＣＴ（Computed Tomography）、ＭＲＩ（Magnetic Resonance Imaging）等により生成された医用画像は、１００枚単位と画像枚数が非常に多く、その中からカンファレンスに使用する医用画像を検索するのは、医師の作業負担が大きい。
【０００７】
さらに、読影に使用する医用画像表示装置では、読影用及び比較用と複数台のモニタを備えていることが多い。しかし、カンファレンスの際には通常読影に使用している医用画像表示装置とは別の表示装置を使用することもあり、読影時とカンファレンス時では表示環境が異なる場合がある。このような場合でも、一律に前回と同じレイアウトで表示させると、表示環境が対応しないため、医師の思うとおりに医用画像を表示させることができなくなってしまう。
【０００８】
本発明の課題は、容易にカンファレンス用の設定及び表示を行うことができる医用画像表示装置を提供することである。
【課題を解決するための手段】
【０００９】
請求項１に記載の発明は、医用画像表示装置において、
読影のための医用画像を表示する表示手段を備えた医用画像表示装置において、
カンファレンス時に表示すべき医用画像及びそのレイアウトの設定情報を入力するための操作手段と、
前記操作手段を介して入力された医用画像及びそのレイアウトの設定情報をカンファレンス情報として記憶する記憶手段と、
カンファレンス時に、前記記憶されたカンファレンス情報に従って、表示すべき医用画像を前記設定されたレイアウトで前記表示手段上に表示させる表示制御手段と、
を備えることを特徴とする。
【００１０】
請求項２に記載の発明は、請求項１に記載の医用画像表示装置において、
前記表示制御手段は、前記記憶されたカンファレンス情報に従って、設定された医用画像を設定されたレイアウトで配置した縮小画像を生成して前記表示手段上に表示させることを特徴とする。
【００１１】
請求項３に記載の発明は、請求項１又は２に記載の医用画像表示装置において、
前記表示手段は、前記カンファレンス時に表示すべき医用画像のレイアウトを、カンファレンス時の表示環境に応じて設定するための設定画面を表示し、
前記設定画面において前記操作手段によりカンファレンス時に表示すべき医用画像及びそのレイアウトの設定情報の入力が可能であることを特徴とする。
【００１２】
請求項４に記載の発明は、請求項３に記載の医用画像表示装置において、
前記表示手段上に読影のために表示された医用画像が前記操作手段を介して前記設定画面上に移動操作されると、当該移動操作された医用画像をカンファレンス用の医用画像として設定することを示す設定情報が前記記憶手段に記憶されることを特徴とする。
【発明の効果】
【００１３】
請求項１に記載の発明によれば、予めカンファレンス時に表示すべき医用画像及びそのレイアウトを設定しておき、カンファレンス時にそのカンファレンス情報を読み出すことにより、設定した医用画像を設定したレイアウトで容易に表示させることができる。よって、カンファレンス時に表示対象の医用画像を検索したり、表示位置を設定したりといった作業を省くことができ、医師の作業効率を向上させることができる。
【００１４】
請求項２に記載の発明によれば、カンファレンス時のレイアウトを縮小画像で表示するので、医師は設定した医用画像やレイアウトを縮小画像により事前に確認することができる。縮小画像により表示するため、逐一カンファレンス用の画面を開くことなく、短時間でカンファレンス情報の内容を確認することができる。
【００１５】
請求項３に記載の発明によれば、設定画面により、カンファレンス時の表示環境、例えばモニタ数やモニタサイズ等に応じて、モニタ毎に表示すべき医用画像やその表示数を設定することができる。これにより、カンファレンス情報の設定時とカンファレンス時の表示環境が異なる場合でも、カンファレンス時には設定時に医師が意図したものと同じ表示形態で表示させることができる。
【００１６】
請求項４に記載の発明によれば、読影のために表示された医用画像が設定画面に移動操作されると、これをカンファレンス時に表示すべき医用画像として設定するので、読影時にカンファレンスに使用したい医用画像が表示された際に、移動操作という簡単な操作で容易にカンファレンス用の医用画像として設定することができる。よって、より医師の作業効率を向上させることができる。
【発明を実施するための最良の形態】
【００１７】
まず、構成を説明する。
図１に、本実施形態における医用画像表示装置１の内部構成を示す。
図１に示すように、医用画像表示装置１は、制御部１１、操作部１２、モニタ１３ａ、１３ｂを有する表示部１３、通信部１４、ＲＡＭ１５、記憶部１６、画像処理部１７、画像メモリ１８を備えて構成されている。
【００１８】
制御部１１は、ＣＰＵ（Central Processing Unit）等から構成されている。制御部１１は、記憶部１６から本発明に係るファイル作成処理プログラム（図３参照）、カンファレンス表示処理プログラム（図６参照）等の各種制御プログラムを読み出し、当該プログラムに従って各種演算を行うとともに処理の実行（処理の内容については後述する。）を統括的に制御する。この制御部１１とカンファレンス表示処理プログラムとの協働により、表示制御手段を実現することができる。
【００１９】
操作部１２は、キーボードやマウス等を備えて構成される操作手段であり、キー操作やマウス操作に対応する操作信号を生成して制御部１１に出力する。
【００２０】
表示部１３は、ＬＣＤ（Liquid Crystal Display）等によるモニタ１３ａ、１３ｂを備えて構成される表示手段であり、制御部１１の表示制御に従ってモニタ１３ａ及び１３ｂに操作画面や医用画像等、各種表示画面を表示させる。
【００２１】
通信部１４は、ルータやモデム等の通信用インターフェイスを備え、制御部１１による指示に従って通信ネットワークを介して接続される外部装置と各種データの送受信を行う。例えば、医用画像が蓄積されている画像サーバに接続して表示対象の医用画像を受信したり、画像処理を施した処理画像を管理サーバやフィルム出力装置等の外部装置に送信する。
【００２２】
ＲＡＭ１５は、一時的にデータを保存するためのワークメモリであり、制御部１１により展開されたプログラムのデータや処理結果等を記憶している。
【００２３】
記憶部１６は、上述した各種制御プログラムやプログラムの実行に必要な各種パラメータ、処理結果等を記憶している。
また、記憶部１６は、カンファレンスファイル１６１を記憶する記憶手段である。カンファレンスファイル１６１とは、カンファレンス時に表示する医用画像及びそのレイアウトを設定するためのカンファレンス情報である。
【００２４】
カンファレンスファイル１６１には、図２に示すように、カンファレンス名、作成日、作成者、カンファレンスに使用するモニタの数、一のモニタで表示する表示枠数（画像コマ数）等のレイアウト情報、表示する医用画像の医用画像番号（或いは画像ファイル名）、その医用画像が表示される表示枠番号、医用画像に関連する関連画像（同一検査における一連の医用画像や関連検査での医用画像等）の表示条件等の各種設定情報が記憶されている。なお、関連画像の表示条件は、カンファレンスに使用するとして設定された医用画像のみを表示するか、その関連画像も表示するか、何れか選択された条件が設定され、関連画像も表示する設定の場合は、その関連画像の医用画像番号が記憶される。
【００２５】
画像処理部１７は、医用画像に対して必要な画像処理を施す、画像処理としては、例えば画像の縮小／拡大処理、階調変換処理、鮮鋭性調整処理、ダイナミックレンジ圧縮処理等が挙げられる。
【００２６】
画像メモリ１８は、表示対象の医用画像を保存するためのメモリである。医用画像には、その生成時に当該医用画像に関する患者情報（医用画像が撮影された患者に関する情報）、検査情報（検査に関する情報）、シリーズ情報（同一検査における一連の撮影に関する情報）、画像詳細情報（生成された医用画像に関する情報。医用画像を個別に識別するための医用画像番号の情報を含む。）が付帯されており、画像メモリ１８はこの付帯情報に基づいて各画像を管理する。
【００２７】
次に、動作について説明する。
読影時に医用画像表示装置１に表示される操作画面では、図３に示すように通常の読影業務に使用する各種メニューボタンに加えて、カンファレンス作業のためのカンファレンスメニューボタンＭが表示されている。このカンファレンスメニューボタンＭが押下操作されると、カンファレンスメニューとして、カンファレンスファイルを作成するメニュー、作成したカンファレンスファイルにより医用画像を表示するメニューが選択的に表示される。そして、カンファレンスファイルの作成メニューが選択された場合は、図４に示すファイル作成処理が開始され、カンファレンスファイルによる表示メニューが選択された場合は後述するカンファレンス表示処理が開始される。
【００２８】
まず、カンファレンスファイルの作成メニューが選択された場合について説明する。
図４は、カンファレンス用の表示設定を行う際に、医用画像表示装置１により実行されるファイル作成処理を説明するフローチャートである。
図４に示すファイル作成処理では、カンファレンスファイルの作成が選択されると（ステップＳ１；Ｙ）、図５（ａ）に示すように、カンファレンス用の設定画面Ｄがモニタ４３ａの読影画面上に表示される（ステップＳ２）。この設定画面Ｄには、図５（ｂ）に示すように、カンファレンス名、モニタ数の設定情報を入力するための入力領域ｄ１、ｄ２が設けられているとともに、設定する医用画像（設定画像）のみを表示するか、或いは設定画像に係る一連の関連画像を表示するかの選択領域ｄ３が設けられている。
【００２９】
医師は、操作部１２を介してカンファレンスの名称を入力領域ｄ１に入力するとともに、カンファレンス時に使用するモニタの数を入力領域ｄ２に入力する。また、カンファレンス時にはここで設定する医用画像のみを表示する場合は、選択領域ｄ３において「設定画像のみ」の項目を選択し、設定する医用画像に係る関連画像もともに表示する場合は「一連を表示」の項目を選択する。
【００３０】
医用画像表示装置１では、カンファレンス名、モニタ数が入力されると（ステップＳ３）、図５（ｂ）に示すようにカンファレンス用の医用画像を設定するためのモニタ枠ｄ４が入力されたモニタ数分だけ表示される（ステップＳ４）。このモニタ枠ｄ４には、モニタ内で表示する画像コマ数の設定情報の入力領域ｄ４１が設けられている。また、選択領域ｄ３における選択情報が関連画像の設定情報としてＲＡＭ１５に記憶される。
【００３１】
医師は、操作部１２によりこの入力領域ｄ４１において一のモニタで表示させたい画像コマ数の設定情報を入力する。
医用画像表示装置１では、操作部１２を介して画像コマ数の設定情報が入力されると（ステップＳ５）、当該入力された画像コマ数が制御部１１によりＲＡＭ１５に記憶され、設定される。そして、制御部１１の表示制御により、当該設定された画像コマ数に応じて前記モニタ枠ｄ４内の領域が分割され、医用画像を表示するための複数の表示枠ｄ４２が設けられる（ステップＳ６）。
【００３２】
医師は、操作部１２によりカンファレンスに使用する医用画像の設定操作を行うとともに、その表示位置の設定操作を行うことができる。具体的には、図５（ｂ）に示すようにマウスによりポインタを操作し、読影画面上に表示されている医用画像の中からカンファレンスに使用する医用画像をドラッグ操作して、当該医用画像を表示させたい表示枠ｄ４２内にドロップ操作する。これにより、医用画像表示装置１では、ポインタによりドラッグ操作された医用画像がドロップ操作された表示枠ｄ４２内に移動されて表示される（ステップＳ７）。このとき、医用画像が移動操作された表示枠の表示枠番号と、その医用画像の番号が、カンファレンス時に表示すべき医用画像及びその表示位置の設定情報としてＲＡＭ１５に記憶される。なお、読影画面ではなく、患者リスト画面等から医用画像を選択できることとしてもよい。
【００３３】
カンファレンスに使用する全ての医用画像について設定が終了するまで上記の医用画像及びその表示位置の設定が繰り返され、全てについて終了すると（ステップＳ８；Ｙ）、ＲＡＭ１５に記憶された各設定情報がカンファレンスファイルとして記憶部１６に保存される（ステップＳ８）。
【００３４】
次に、保存されたカンファレンスファイルによる表示を行うメニューが選択された場合に、医用画像表示装置１において実行されるカンファレンス表示処理について説明する。
図６は、カンファレンス表示処理を説明するフローチャートである。
【００３５】
図６に示すカンファレンス表示処理では、カンファレンスファイルによる表示が選択されると（ステップＴ１；Ｙ）、既に作成されているカンファレンスファイルが記憶部１６から読み出され、図７（ａ）に示すようにリスト化されてモニタ１３ａ上に一覧表示される（ステップＴ２）。図７（ａ）に示す例では、読み出されたカンファレンスファイル毎にカンファレンス名、カンファレンスファイルの作成日、作成者、モニタ数等の各種設定情報が表示されている。
【００３６】
医師は、一覧表示された中から所望のカンファレンスファイルを選択することができる。
医用画像表示装置１では、操作部１２を介して一のカンファレンスファイルが選択されると（ステップＴ３）、当該カンファレンスファイルの設定情報に従って、カンファレンス用に設定された医用画像を設定されたモニタ枠、表示枠に配置したレイアウトの縮小画像が制御部１１、画像処理部１７により生成される。縮小画像は、図７（ｂ）に示すようにモニタ４３ａ上に表示される（ステップＴ４）
【００３７】
医師は、図７（ｂ）に示すような縮小画像Ｆを観察し、このカンファレンスファイルで良ければ操作部１２を介して確定の指示操作を行い、他のカンファレンスファイルを参照する場合にはカンファレンスファイルの一覧表示から再度所望のカンファレンスファイルの選択操作を行う。
【００３８】
医用画像表示装置１では、操作部１２を介して他のカンファレンスファイルが選択操作された場合（ステップＴ５；Ｎ）、ステップＴ３の処理に戻って選択されたカンファレンスファイルによる縮小画像の表示が繰り返される。
【００３９】
一方、操作部１２を介してカンファレンスファイルの確定が指示されると（ステップＴ５；Ｙ）、図８に示すようにモニタ４３ａ、４３ｂ上にカンファレンス画面が表示され、当該確定されたカンファレンスファイルの設定情報に従って、カンファレンス用に設定された医用画像が設定された表示位置（モニタ枠、表示枠）に配置されたレイアウトで表示される（ステップＴ６）。つまり、縮小画像と同じレイアウトにより全画面表示がなされることとなる。なお、カンファレンスファイルにより関連画像の表示が設定されている場合には、カンファレンス画面において表示中の医用画像を関連画像に切替可能とする。
【００４０】
以上のように、本実施形態によれば、予めカンファレンス時に表示する医用画像及びそのレイアウトを規定するカンファレンスファイルを作成しておき、カンファレンス時に当該カンファレンスファイルを読み出すことにより、設定した医用画像を設定した表示条件で容易に表示させることができる。よって、カンファレンス時に医用画像を選択する操作や表示位置を設定する操作を行う必要がなく、医師の作業負担を軽減することができる。また、通常の読影作業用とは別にカンファレンス用のメニューが設けられているので、医師の作業を区分することができ、作業の効率化を図ることができる。
【００４１】
また、モニタ数等、カンファレンス時の表示環境に応じてモニタ枠や表示枠等を設けた設定画面を表示するので、カンファレンス時の表示環境に応じたレイアウトを設定することができる。よって、カンファレンス時には、医師が意図した通りに医用画像の表示を行うことができる。また、読影画面に表示されている医用画像をカンファレンスの設定画面上にドラッグ及びドロップ操作することにより、カンファレンス用の医用画像として設定することができるので、簡単な操作で容易に医用画像の設定を行うことができる。ＣＴやＭＲＩでは、医用画像数が多いが、上記の方法によれば読影中に医師がカンファレンスに使用したいと思った医用画像を簡単な操作でカンファレンス用に設定することができ、作業効率が良い。
【００４２】
さらに、カンファレンスファイルで設定されたレイアウトの縮小画像が表示されるので、作成したカンファレンスファイルによりどのようなレイアウトとなるのかをカンファレンス前に確認することができる。
【００４３】
なお、本実施形態における医用画像表示装置１は、本発明を適用した好適な一例であり、これに限定しない。
例えば、本実施形態では、同一の医用画像表示装置１において、カンファレンス時の医用画像及びそのレイアウトを設定したカンファレンスファイルを作成するとともに、そのカンファレンスファイルを用いて医用画像の表示を行う例を説明したが、これに限らず、作成したカンファレンスファイルを他の医用画像表示装置で読み込み、カンファレンス用の医用画像の表示を行うこととしてもよい。この場合、カンファレンスファイルを作成した医用画像表示装置１とカンファレンスを行う際に使用する医用画像表示装置が異なる場合でも、医師が意図したレイアウトで医用画像の表示を行うことができる。
【図面の簡単な説明】
【００４４】
【図１】本実施形態における医用画像表示装置の内部構成を示す図である。
【図２】カンファレンスファイルのデータ構成例を示す図である。
【図３】画面上に設けられたカンファレンスメニューボタン例を示す図である。
【図４】医用画像表示装置により実行されるファイル作成処理を説明するフローチャートである。
【図５】（ａ）、（ｂ）は、カンファレンス用の医用画像及びその表示条件を設定するための設定画面例を示す図である。
【図６】医用画像表示装置により実行されるカンファレンス表示処理を説明するフローチャートである。
【図７】（ａ）はカンファレンスファイルの一覧表示例を示す図であり、（ｂ）はカンファレンスファイルによるレイアウトの縮小画像例を示す図である。
【図８】カンファレンスファイルにより表示されるカンファレンス画面例を示す図である。
【符号の説明】
【００４５】
１    医用画像表示装置
１１    制御部
１２    操作部
１３    表示部
１４    通信部
１５    ＲＡＭ
１６    記憶部
１６１    カンファレンスファイル
１７    画像処理部
１８    画像メモリ
【図１】
2006268120.tif 000003
【図２】
2006268120.tif 000004
【図３】
2006268120.tif 000005
【図４】
2006268120.tif 000006
【図５】
2006268120.tif 000007
【図６】
2006268120.tif 000008
【図７】
2006268120.tif 000009
【図８】
2006268120.tif 000010